(57)【要約】【課題】  この発明は、泥水や泥などの中を歩行する際にも靴の中へ泥水や泥が浸入することを防止する防水ズボンを提供する。【解決手段】  この発明は、左右両足用に下部が二股に分かれた脚部１と、脚部の二股に分かれた各下部の先端にそれぞれ接合され連結されている１対のソックス部と、下端部が靴の履き口を覆うように、前記脚部１の膝又は脛付近に接合され、この脚部の膝又は脛付近から履き口より下の位置まで連続して設けられた第１のカバー部材３と、前記脚部の膝又脛付近に接合され、前記第１のカバー部材３を覆い、下端部が足首周囲を覆うように前記脚部の膝又は脛付近から足首付近にかけて連続して設けられた第２のカバー部材４とを有している。【選択図】    図９
2016089305.tif 000002
【特許請求の範囲】
【請求項１】
左右両足用に下部が二股に分かれた脚部と、脚部の下部先端に設けられたソックス部と、下端部が靴の履き口を覆うように、前記脚部の膝又は脛付近に接合され、この脚部の膝又は脛付近から履き口より下の位置まで連続して設けられた第１のカバー部材と、前記脚部の膝又は脛付近に接合され、前記第１のカバー部材を覆い、下端部が足首周囲を覆うように前記脚部の膝又は脛付近から足首付近にかけて連続して設けられた第２のカバー部材とを有していることを特徴とする防水ズボン。
【請求項２】
前記第２のカバー部材に、長靴のひもなどに取り付けるためのひもが設けられていることを特徴とする請求項１に記載の防水ズボン。
【請求項３】
前記第１のカバー部材の裾部及び第２のカバー部材の裾部に、ゴムを縫い込んでいることを特徴とする請求項１又は請求項２に記載の防水ズボン。
【請求項４】
前記脚部と、ソックス部と、第１のカバー部材と、第２のカバー部材は、撥水性の表地と、裏地と、前記表地と裏地の間に配せられた水蒸気を透過し、液体を透過しないポリマーフィルム層と、を有する防水加工布により形成されていることを特徴とする請求項１から請求項３のいずれか１項に記載の防水ズボン。
【請求項５】
前記ポリマーフィルム層は、温度反応記憶機能を有する形状記憶ポリマーであることを特徴とする請求項４に記載の防水ズボン。
【発明の詳細な説明】
【技術分野】
【０００１】
この発明は、防水ズボンに係り、特に、大雨による土砂災害や川の氾濫による浸水の復旧作業などに用いて好適な防水ズボンに関するものである。
【背景技術】
【０００２】
雨による土砂災害や、川の氾濫による浸水の復旧作業などにおいては、水や泥の中に入って作業を行う際に、長靴内に水や泥が入ることを防止することが要求される。
【０００３】
ところで、魚釣りの際に用いられ、長靴内に水や水中の小石などが入り込まないようにしたウェーダーが提案されている（例えば、特許文献１参照）。このウェーダーは、左右両足用に下部が二股に分かれたタイツ部と、タイツ部の二股に分かれた各下部の先端にそれぞれ縫合され連結されている一対のソックス部と、タイツ部の膝，すね付近から足首付近にかけて連続して設けられるとともに下端部がタイツ部とソックス部との縫合部分である足首周囲を覆うようにタイツ部に縫合され、かつ下端部が折り返し可能なカバー部材とを備えている。
【０００４】
上記したウェーダーのカバー部材は、足首付近まで連続して設けられており、ユーザが靴を履いて水中を歩行する際に、このカバー部材が靴の履き口を覆って、靴の中に小石や砂などの異物が浸入するのを防止している。
【０００５】
しかし、大雨による土砂災害や川の氾濫による浸水の復旧作業などにおいては、泥水や泥などの中を歩行することが多くなる。泥水や泥は抵抗が大きく、上記した特許文献１のウェーダーでは、カバー部材がめくれ上がり、靴の履き口から泥水や泥が靴の内部に入り込むなどの問題があった。
【先行技術文献】
【特許文献】
【０００６】
【特許文献１】特開平１１−１５８７１１号公報
【発明の概要】
【発明が解決しようとする課題】
【０００７】
上記したように、特許文献１のものにおいては、泥水や泥などの中を歩行する際には、靴の中への泥水や泥の浸入を防ぐには十分ではない。
【０００８】
この発明は、上記した従来の問題点を解決するためになされたものにして、泥水や泥などの中を歩行する際にも靴の中へ泥水や泥が浸入することを防止する防水ズボンを提供することを課題とする。
【課題を解決するための手段】
【０００９】
この発明は、左右両足用に下部が二股に分かれた脚部と、脚部の下部先端に設けられたソックス部と、下端部が靴の履き口を覆うように、前記脚部の膝又は脛付近に接合され、この脚部の膝又は脛付近から履き口より下の位置まで連続して設けられた第１のカバー部材と、前記脚部の膝又は脛付近に接合され、前記第１のカバー部材を覆い、下端部が足首周囲を覆うように前記脚部の膝又は脛付近から足首付近にかけて連続して設けられた第２のカバー部材とを有していることを特徴とする。
【００１０】
また、前記第２のカバー部材に、長靴のひもなどに取り付けるためのひもを設けるとよい。
【００１１】
また、前記第１のカバー部材の裾部及び第２のカバー部材の裾部に、ゴムを縫い込んで構成すればよい。
【００１２】
また、前記脚部と、ソックス部と、第１のカバー部材と、第２のカバー部材は、撥水性の表地と、裏地と、前記表地と裏地の間に配せられた水蒸気を透過し、液体を透過しないポリマーフィルム層と、を有する防水加工布により形成するとよい。
【発明の効果】
【００１３】
この発明は、泥水や泥の中を歩行して、第２のカバー部材と長靴の間に、泥や泥水が侵入したとしても、侵入した泥や泥水は、第１のカバー部材と第２のカバー部材との間で留まり、長靴の履き口は、第１のカバー部材で覆われているので、第２のカバー部材と長靴の間に侵入した泥や泥水が長靴内に侵入することが防止できる。
【００１４】
第２のカバー部材に、長靴のひもなどに取り付けるひもを設けることで、泥水や泥の中を歩行しても、第２のカバー部材が捲れ上がることが防止され、泥水や泥が長靴内に侵入することが防止できる。
【図面の簡単な説明】
【００１５】
【図１】この発明の防水ズボンの第１、第２のカバーを折り返した状態を示す正面図である。
【図２】この発明の防水ズボンの第２のカバーを折り返した状態を示す正面図である。
【図３】この発明の防水ズボンの第２のカバーを折り返した状態を示す側面図である。
【図４】この発明の防水ズボンの第１、第２のカバーを伸ばした状態を示す正面図である。
【図５】この発明の防水ズボンの第１、第２のカバーを伸ばした状態を示す側面図である。
【図６】この発明の防水ズボンを用いて長靴を着装した状態を示す正面図である。
【図７】この発明の防水ズボンを用いて長靴を着装した状態の断面図である。
【図８】この発明の防水ズボンを用いて長靴を着装する状態を示す正面図である。
【図９】この発明の防水ズボンを用いて長靴を着装する状態を示す正面図である。
【図１０】この発明の防水ズボンを用いて長靴を着装する状態を示す正面図である。
【図１１】２枚の生地を接合する状態を示す模式的断面図である。
【図１２】２枚の生地を接合する状態を示す模式的断面図である。
【図１３】２枚の生地を接合する状態を示す模式的斜視図である。
【図１４】２枚の生地を高周波エルダーで接合する状態を示す模式的断面図である。
【図１５】２枚の生地を接合した状態を示す模式的断面図。
【発明を実施するための形態】
【００１６】
この発明の実施の形態について図面を参照しながら詳細に説明する。なお、図中同一または相当部分には同一符号を付し、説明の重複を避けるためにその説明は繰返さない。
【００１７】
この発明の一実施形態に係る防水ズボン１００は、図１から図５に示すように、左右両足用に下部が二股に分かれた脚部１と、脚部１の二股に分かれた各下部１ａ，１ｂの先端にそれぞれ接合され連結されている１対のソックス部２とを有する。そして、下端部が靴の履き口より下部を覆うように、脚部１の膝又は脛付近に接合され、この脚部１の膝又は脛付近から履き口より下の位置、この実施形態では、長靴の中間部の高さ付近まで連続して設けられた第１のカバー部材３と、第１のカバー部材と３と同様に脚部１の膝又は脛付近に接合され、第１のカバー部材３を覆い、更に、下端部が足首周囲を覆うように脚部１の膝又は脛付近から足首付近にかけて連続して設けられた第２のカバー部材４とを有している。
【００１８】
この第１のカバー部材３及び第２のカバー部材４は、図１に示すように、脚部１の上側に折り返すことができるように、脚部１に接合されている。図２及び図３に示すように、第１のカバー部材３をソックス部２の方に延ばし、第２のカバー部材４を折り返すこともできる。すなわち、第１のカバー部材３と第２のカバー部材４とはそれぞれ独立して折り返し、又はソックス部２の方向へ延ばすことができるように、脚部１に接合されている。
【００１９】
図４及び図５に示すように、第１のカバー部材３と第２のカバー部材４とをソックス部２の方向へ延ばすと、第１のカバー部材３は、第２のカバー部材４に覆われる。
【００２０】
第１のカバー部材３の裾部３ａ及び第２のカバー部材４の裾部４ａには、ゴムが縫い込まれ、第１のカバー部材３及び第２のカバー部材４の裾部３ａ、４ａを長靴５の周囲に密着させるように構成している。更に、第２のカバー部材４には、ひも４１が取り付けられ、このひも４１を長靴５のひも５１などに取付け、第２のカバー部材４がめくれ上がるのを防止している。
【００２１】
防水ズボン１００の腰部１ｃにもゴムが縫い込まれ、防水ズボン１００を着たときに防水ズボン１００がずり落ちないように構成されている。
【００２２】
そして、図６に示すように、ユーザは、足１０１を入れたソックス部２の上に編みひも式の長靴５を履いて、第１のカバー部材３、第２のカバー部材４を長靴５の足首部付近まで伸ばして、長靴５の上に被せて着装する。
【００２３】
図７に示すように、第１のカバー部材３及び第２のカバー部材４の裾部３ａ、４ａには、ゴムが縫い込まれているので、長靴５の周囲に密着される。そして、長靴５の履き口部分は、まず第１のカバー部材３で覆われ、更に、その上に第２のカバー部材４で覆われる。
【００２４】
上記のように、防水ズボン１００を着装すると、泥水や泥の中を歩行しても、第２のカバー部材４が捲れ上がることが防止され、泥水や泥が長靴５内に侵入することが防止できる。また、第２のカバー部材４と長靴５の間に、泥や泥水が侵入したとしても、侵入した泥や泥水は、第１のカバー部材３と第２のカバー部材４との間で留まる。そして、長靴５の履き口は、第１のカバー部材３で覆われているので、第２のカバー部材４と長靴５の間に侵入した泥や泥水が長靴５内に侵入することが防止できる。
【００２５】
この防水ズボン１００は、所定の形状に裁断された防水加工布を接合して形成される。この実施形態に用いられる防水加工布１０1、１０2は、図１１〜図１４に示すように、撥水性の表地１１と、裏地１２と、表地１１と裏地１２の間に配せられた水蒸気を透過し、液体を透過しないポリマーフィルム層１３とで構成される。
【００２６】
ここで、この実施形態で用いられるポリマーフィルム層１３は、温度反応記憶機能を有する形状記憶ポリマーである。このポリマーは、無孔質素材で構成されているが、温度によってミクロブラウン運動を起こす特性を持ち、衣服内温度が上昇すると、ミクロブラウン運動が活発化し、互いのポリマー分子の隙間が大きくなって水の分子が通り抜けるだけのミクロの穴が生じる環境温度適応型の防水、透湿素材である。
【００２７】
そして、表地１１は、例えば、ナイロンタッサー、裏地１２は、例えば、ナイロントリコットが用いられ、ポリマーフィルム層１３の表裏に表地１１と裏地１２をラミネートして防水加工布が得られる。
【００２８】
このような防水加工布は、例えば、ディアプレックス（登録商標）として、三菱商事ファッション株式会社が販売している素材を用いることができる。
【００２９】
上記したように、防水ズボン１００は、所定の形状に裁断された防水加工布１０1、１０2を接合１０で接合することにより、形成される。この実施形態においては、接合１０を作業性良く且つ防止性が保てるように、ホットメルト樹脂１４による溶着により、２枚の防水加工布１０1、１０2を接合している。
【００３０】
図１１〜図１３に示すように、この実施形態の防水ズボン１００の接合１０は、所定の形状に裁断された２枚の防水加工布１０1、１０2のそれぞれの表地１１、１１側がホットメルト樹脂１４を介して重ね合わされる。そして、接合すべき一方の防水加工布１０1の裏地１２側がホットメルト樹脂１４を介して折り返して重ね合わされる。ホットメルト樹脂１４を溶着することにより、２枚の防水加工布１０1、１０2の表地１１、１１および一方の防水加工布１０1の裏地１２側が溶融接着され、接合１０を形成する。
【００３１】
ホットメルト樹脂１４は、例えば、ポリアミド系共重合物、アクリル酸共重合物、エチレンビニルアセテート共重合体等がテープ状またはスパンボンド状のホットメルト樹脂を用いることができる。
【００３２】
次に、２枚の防水加工布１０1、１０2を接合する方法につき、図１１〜図１４を参照して説明する。シート状のホットメルト樹脂１４を防水加工布１０1の表地１１と他の防水加工布１０2の表地１１との間に挾んで積層する。そして、一方の防水加工布１０1と他方の防水加工布１０2の端同志が合わされる。そして、一方の防水加工布１０1が折り返され、折り返された防水加工布１０1の裏地１２間、１２間にシート状のホットメルト樹脂１４を挟んで積層し、全体の接合構造が形成されている。図１３に示すように、高周波ウエルダーの電極１５で押圧加熱し、それぞれのホットメルト樹脂１４が溶融して、防水加工布１０1、１０2の表地１１、１１間と防水加工布１０2の裏地１２が接合し、防水性に優れた接合１０が得られる。この接合１０は、ホットメルト樹脂１４によって外部からの水に対する高度の防水性が得られる。また、縫合作業も不要となるので作業性も向上する。
【００３３】
防水ズボン１００に、第１、第２のカバー部材３、４も上記した接合により、脚部１にそれぞれ接合される。脚部１に取り付ける第１、第２のカバー部材３、４の接合部分も外部からの水に対する高度の防水性が得られる。
【００３４】
この実施形態による防水ズボン１００の各接合１０は、高周波ウエルデイングでホットメルト樹脂１４を融解させ、相接する防水加工布からなる防水加工布１０1、１０2の生地の隙間にホットメルト樹脂１４が一様に広がり、薄く均一な膜を形成し、各層間に存在する凹凸を埋め、表地１１の面からの水の浸入を遮断する柔軟で、外観美麗な防水構造が得られる。
【００３５】
次に、この実施形態の防水ズボン１００と長靴５の着装につき、図面を参照して説明する。図１に示すように、ユーザが防水ズボン１００の脚部１に足を入れ、それぞれのソックス部２に足先を挿入して、防水ズボン１００を着る。そして、第１のカバー部材３、第２のカバー部材４を捲り上げる。
【００３６】
そして、図８に示すように、編みひも式長靴５の履き口からソックス部２を入れ、長靴５を履く。図９に示すように、第１のカバー部材３を長靴５の履き口を覆うようにして、長靴５の上に被せる。
【００３７】
続いて、図１０に示すように、第２のカバー部材４を下ろし、第１のカバー部材３を覆って、長靴５の足首部付近まで伸ばして、長靴５に被せる。第１のカバー部材３及び第２のカバー部材４の裾部３ａ、４ａには、ゴムが縫い込まれているので、長靴５の周囲に密着される。そして、長靴５の履き口部分は、まず第１のカバー部材３で覆われ、更に、その上に第２のカバー部材４で覆われることになる。
【００３８】
続いて、第２のカバー部材４のひも４１を長靴５のひも５１等に固定して、第２のカバー部材４の裾を固定し、第２のカバー部材４の裾がめくれ上がることを確実に防止している。
【００３９】
そして、図６に示すように、ひも４１の端を第２のカバー部材４と長靴５との間に入れて収納する。このようにして、着装が完了する。
【００４０】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００４１】
１      ：脚部
１ａ    ：下部
１ｂ    ：下部
１ｃ    ：腰部
２      ：ソックス部
３      ：第１のカバー部材
３ａ    ：裾部
４      ：第２のカバー部材
４ａ    ：裾部
５      ：長靴
【図１】
2016089305.tif 000003
【図２】
2016089305.tif 000004
【図３】
2016089305.tif 000005
【図４】
2016089305.tif 000006
【図５】
2016089305.tif 000007
【図６】
2016089305.tif 000008
【図７】
2016089305.tif 000009
【図８】
2016089305.tif 000010
【図９】
2016089305.tif 000011
【図１０】
2016089305.tif 000012
【図１１】
2016089305.tif 000013
【図１２】
2016089305.tif 000014
【図１３】
2016089305.tif 000015
【図１４】
2016089305.tif 000016
【図１５】
2016089305.tif 000017